(57)【特許請求の範囲】
【請求項１】
手動操作により撮影レンズを露呈する開位置から撮影レンズを覆う閉位置に移動するレンズバリアと、前記レンズバリアを開位置に向けて付勢する付勢部材と、前記付勢部材の付勢に抗して前記レンズバリアを閉位置にロックするロック機構とを備えたカメラのレンズバリア装置において、
前記ロック機構は、
前記レンズバリアに設けられ、前記レンズバリアと一緒に移動する係合板と、
前記レンズバリアの移動方向に対して交差方向に設けられる回転軸を中心として初期位置とこれからロック解除位置を経由してロック位置を越えた退避位置との間で回動自在で、かつ、前記係合板の移動路に露呈する係合位置と前記移動路から脱する係合解除位置との間で前記回転軸の軸方向に移動自在に支持されており、前記初期位置、及び前記係合位置に向けてそれぞれ付勢されるロック板と、を備え、
前記ロック板は、前記レンズバリアを開位置から閉位置を越えたロック切り替え位置に向けて移動させる閉じ操作により前記係合板が当接して前記退避位置に向けて回転し、その後に前記閉じ操作を止めて前記レンズバリアが前記付勢部材の付勢によりロック切り替え位置から再び閉位置に向けて戻ることで前記ロック位置に回転するとともに、前記係合板を受け止めて前記レンズバリアを閉位置にロックし、このロック状態から前記レンズバリアをロック切り替え位置に向けて移動させる押し込み操作を行うことで前記ロック解除位置に回転し、その後に前記押し込み操作を止めて前記レンズバリアが前記付勢手段の付勢により閉位置に戻るときに前記係合板が当接することで係合位置から係合解除位置に移動して前記レンズバリアの閉位置から開位置に向けての移動を許容することを特徴とするカメラのレンズバリア装置。
【請求項２】
前記ロック板を前記初期位置、及び前記係合位置に向けてそれぞれ付勢する第２付勢部材を備え、
前記ロック板は、
前記閉じ操作をしたときに前記係合板が当接することで前記第２付勢部材の付勢に抗して前記ロック板を退避位置に向けて回転させる斜面部と、
前記閉じ操作を止めて前記レンズバリアが前記ロック切り替え位置から前記閉位置に戻るとともに前記ロック板がロック位置にあるときに、前記係合板に当接して前記レンズバリアを前記閉位置に保持させる保持部と、
前記押し込み操作をして前記係合板を前記保持部から離間させて前記ロック板が前記ロック解除位置に向けて回転するときに、前記係合板が入り込む切り欠き部と、
前記押し込み操作を止めて前記付勢部材の付勢により前記レンズバリアが前記閉位置に向けて戻るときに、その方向から前記係合板が当接して前記ロック板を前記第２付勢部材の付勢に抗して前記係合位置から前記係合解除位置に移動させて前記ロック板と前記係合板との係合を解除して前記レンズバリアが閉位置から開位置に向けての移動を許容する折り曲げ片と、
を備えたことを特徴とする請求項１記載のカメラのレンズバリア装置。
【請求項３】
撮影レンズを露呈する開位置と前記撮影レンズを覆う閉位置との間で移動するレンズバリアと、前記レンズバリアを開位置に向けて付勢する付勢機構と、を備えたカメラのレンズバリア装置において、
前記付勢機構は、前記レンズバリアを開位置に向けて付勢する圧縮バネと、前記圧縮バネの一端に当接しており、前記レンズバリアと一緒に移動する押圧部材と、前記圧縮バネの他端に当接し、前記レンズバリアを開位置から閉位置に移動するときにカメラボディに対して前記レンズバリアと同方向に一定の範囲で移動する受け部材と、を備え、
前記受け部材は、前記レンズバリアが開位置から閉位置に移動することで、前記圧縮バネを前記レンズバリアが開位置にあるときの長さよりも短くなるように前記押圧部材との間で圧縮するとともに、前記レンズバリアが開位置にあるときの圧縮バネの長さをＬ１とし、前記レンズバリアが閉位置にあるときの圧縮バネの長さをＬ２としたときに、Ｌ１−Ｌ２の長さに応じた移動量よりも前記レンズバリアの移動量を大きくするように移動することを特徴とするカメラのレンズバリア装置。
【発明の詳細な説明】
【０００１】
【発明の属する技術分野】
本発明は、ビデオカメラ、電子スチルカメラ、及び写真用カメラなどを含むカメラのレンズバリア装置に関し、さらに詳しくは、撮影レンズを保護するレンズバリアを備えたカメラのバリア装置に関するものである。
【０００２】
【従来の技術】
撮影レンズを保護するためのレンズバリアを備えたカメラが特開平９−６８７３８号公報や特開２０００−１５５３５５号公報に提案されている。これらに提案されたカメラのレンズバリアは、撮影レンズを覆う閉位置と撮影レンズを露呈する開位置との間でレンズバリアを手動操作によって移動する。しかし、レンズバリアを開位置まで移動するのに全て手動操作となっているため、シャッタチャンスを逃すおそれがある。また、レンズバリアを移動自在に支持するためのレール溝をカメラボディに設けているため、カメラの外面にレール溝が表れ、見栄えの悪い外観となっている。
【０００３】
そこで、そのような不都合に対処するために、レンズバリアの開位置への移動を補助するバネを設け、また、レール溝をレンズバリアに設けるようにしたカメラが望まれている。レール溝をレンズバリアに設けることを想定すると、レンズバリアのサイズが大きくなる恐れがある。このため、レール溝を含む最小のサイズにする必要がある。また、レンズバリアを開位置に向けて付勢するバネとしては、カメラボディに取り付けると、バネの一端とレンズバリアとを繋ぐ部材の移動用スロットがカメラボディに必要になり見栄えの悪い外観になるため、レンズバリアに取り付ける必要がある。しかし、そのバネを引っ張りバネにすると、レンズバリアの輪郭内に収めることができないため、圧縮バネが望ましいことが分かった。
【０００４】
また、バネでレンズバリアを開位置に向けて付勢すると、閉位置のときにバネの付勢に抗してレンズバリアをロックするロック機構が必要なる。そのロック機構としては、一般的にロック解除ボタン等をカメラボディに設け、そのボタンを操作することでロック機構の解除を行うものが知られている。
【０００５】
【発明が解決しようとする課題】
ところで、圧縮バネでレンズバリアを開位置に向けて付勢するためには、レンズバリアとカメラボディとの間で圧縮バネを介在させ、レンズバリアが開位置のときにもカメラボディに対してレンズバリアを閉位置から開位置に向けた方向に付勢する必要がある。しかし、このようにすると、レンズバリアが閉位置のときの圧縮バネが、開位置のときに長さよりもさらに圧縮される。圧縮バネは、圧縮したときの長さに限界がある。このため、その分レンズバリアの移動量が少なくなるという欠点がある。
【０００６】
また、ロック解除ボタンを別に設けると、ボタン及びロック解除ボタンとロック機構と繋ぐ連動機構の分コストがアップするばかりか、連動機構をカメラボディに内蔵するため、ボディのサイズが大きくなる不都合が生じる。
【０００７】
本発明は上記事情を考慮してなされたもので、ボディの外観の見栄えを良くし、かつレンズバリアの移動量を大きく取ることができるカメラのレンズバリア装置を提供すること、また、コンパクトでしかもローコストなカメラのレンズバリア装置を提供することを目的とする。
【０００８】
【課題を解決するための手段】
上記目的を達成するために、本発明のカメラのレンズバリア装置では、手動操作により撮影レンズを露呈する開位置から撮影レンズを覆う閉位置に移動するレンズバリアと、前記レンズバリアを開位置に向けて付勢する付勢部材と、前記付勢部材の付勢に抗して前記レンズバリアを閉位置にロックするロック機構とを備えたカメラのレンズバリア装置において、前記ロック機構は、前記レンズバリアに設けられ、前記レンズバリアと一緒に移動する係合板と、前記レンズバリアの移動方向に対して交差方向に設けられる回転軸を中心として初期位置とこれからロック解除位置を経由してロック位置を越えた退避位置との間で回動自在で、かつ、前記係合板の移動路に露呈する係合位置と前記移動路から脱する係合解除位置との間で前記回転軸の軸方向に移動自在に支持されており、前記初期位置、及び前記係合位置に向けてそれぞれ付勢されるロック板と、を備え、前記ロック板は、前記レンズバリアを開位置から閉位置を越えたロック切り替え位置に向けて移動させる閉じ操作により前記係合板が当接して前記退避位置に向けて回転し、その後に前記閉じ操作を止めて前記レンズバリアが前記付勢部材の付勢によりロック切り替え位置から再び閉位置に向けて戻ることで前記ロック位置に回転するとともに、前記係合板を受け止めて前記レンズバリアを閉位置にロックし、このロック状態から前記レンズバリアをロック切り替え位置に向けて移動させる押し込み操作を行うことで前記ロック解除位置に回転し、その後に前記押し込み操作を止めて前記レンズバリアが前記付勢手段の付勢により閉位置に戻るときに前記係合板が当接することで係合位置から係合解除位置に移動して前記レンズバリアの閉位置から開位置に向けての移動を許容することを特徴とする。具体的には、前記ロック板を前記初期位置、及び前記係合位置に向けてそれぞれ付勢する第２付勢部材を備え、前記ロック板は、前記閉じ操作をしたときに前記係合板が当接することで前記第２付勢部材の付勢に抗して前記ロック板を退避位置に向けて回転させる斜面部と、前記閉じ操作を止めて前記レンズバリアが前記ロック切り替え位置から前記閉位置に戻るとともに前記ロック板がロック位置にあるときに、前記係合板に当接して前記レンズバリアを前記閉位置に保持させる保持部と、前記押し込み操作をして前記係合板を前記保持部から離間させて前記ロック板が前記ロック解除位置に向けて回転するときに、前記係合板が入り込む切り欠き部と、前記押し込み操作を止めて前記付勢部材の付勢により前記レンズバリアが前記閉位置に向けて戻るときに、その方向から前記係合板が当接して前記ロック板を前記第２付勢部材の付勢に抗して前記係合位置から前記係合解除位置に移動させて前記ロック板と前記係合板との係合を解除して前記レンズバリアが閉位置から開位置に向けての移動を許容する折り曲げ片と、を備えたことを特徴とする。
【０００９】
また、別の発明のカメラのレンズバリア装置では、レンズバリアを開位置に向けて付勢する付勢機構を；レンズバリアを開位置に向けて付勢する圧縮バネと；圧縮バネの一端に当接しており、レンズバリアと一緒に移動する押圧部材と；圧縮バネの他端に当接し、レンズバリアを閉位置に移動するときにカメラボディに対してレンズバリアと同方向に一定の範囲で移動する受け部材と；で構成し、受け部材は、レンズバリアが開位置から閉位置に移動することで、圧縮バネをレンズバリアが開位置にあるときの長さよりも短くなるように前記押圧部材との間で圧縮するとともに、レンズバリアが開位置にあるときの圧縮バネの長さをＬ１とし、レンズバリアが閉位置にあるときの圧縮バネの長さをＬ２とすると、Ｌ１−Ｌ２の長さに応じた移動量よりもレンズバリアの移動量を大きくするために移動するように構成したものである。
【００１０】
【発明の実施の形態】
図１及び図２に示したように、電子スチルカメラ１０は、ボディが正面から見て正方形に近い矩形となっており、その矩形内に大円状の摺動板１１が組み込まれている。摺動板１１の前面には、その輪郭円形とほぼ同じ径の半月状のレンズバリア１２が移動自在に配されている。摺動板１１は、金属製で形成されており、レンズバリア１２がスムーズに摺動するために前面がフラットになっている。摺動板１１には、その輪郭内の中央上にストロボ発光窓１３が、また輪郭中央に対して右斜め上には、撮影レンズ１４を露呈する撮影窓１５等がそれぞれ露呈して設けられている。
【００１１】
レンズバリア１２は、撮影光軸１６に対して直交する方向（水平方向）Ｈに沿ってスライド移動自在となっており、図１に示した開位置のときにストロボ発光窓１３と撮影窓１５とを露呈し、図２に示した閉位置のときにストロボ発光窓１３、撮影窓１５、及びセルフタイマー用ＬＥＤ１５ａとを覆う。カメラ１０の外観には、レンズバリア１２を支持するレール溝などが表れていない見栄えの良い外観となっている。なお、符号１７はシャッタボタン、符号１８はファインダ窓である。
【００１２】
レンズバリア１２は、手動操作によって開閉される。このレンズバリア１２は、詳しくは後述する付勢機構により開位置に向けて付勢されており、また詳しくは後述するロック機構により付勢機構の付勢に抗して閉位置にロックされる。ロック機構は、レンズバリア１２を開位置から閉位置に移動し、その方向に沿い、かつ閉位置を超えたロック切り替え位置にレンズバリア１２を移動させる押し込み操作を行うことでレンズバリア１２を閉位置にロックし、この閉位置の状態から再びロック切り替え位置にレンズバリア１２を移動させる押し込み操作によってレンズバリア１２の閉位置でのロックを解除する。
【００１３】
このようにレンズバリア１２を閉位置にロックする押し込み操作、及び閉位置でのロックを解除する押し込み操作が同方向への押し込み操作となっている。このため、レンズバリア１２には、押し込み操作のときに押圧し易くするための斜面１９が正面からに見て左端に設けられている。この斜面１９には、指掛かり用の突起２０が複数形成されている。
【００１４】
レンズバリア機構は、レンズバリア１２、ロック機構、付勢機構、バリアガイド手段で構成されている。図３に示すように、カメラ１０の前カバー２２には、ロック機構２３を配した支持板２４が固定される。その支持板２４にレンズバリア１２がスライド移動自在に取り付けられる。レンズバリア１２は、バリア板２５とバリア蓋２６とから構成され、これらの間に付勢機構２７が内蔵される。なお、付勢機構２７を構成する引っ張りバネ２８は、前カバー２２の裏面にも取り付けられる。
【００１５】
バリアガイド手段は、レンズバリアをスライド自在に支持する手段であり、図４及び図５に示すように、支持板２４に形成した上・下レール受け部３０，３１と、レール板３２とで構成されている。上・下レール受け部３０，３１は、それぞれ断面コ字状となっており、コ字状の開放側が対向した向きとなっている。
【００１６】
レール板３２には、図５に示すように、上・下レール３３，３４が形成されており、バリア板２５の開口３５を通して上・下レール受け部３０，３１を上・下レール３３，３４に嵌合した後に、カシメによってバリア板２５に固定される。支持板２４は、図６に示すように、摺動板１１に形成された開口３５に取り付けられる。その開口３５は，レンズバリア１２で常に隠される範囲となっている。これにより、上・下レール３３，３４は、撮影光軸に直交する方向に配され、バリア板２５は、上・下レール受け部３０，３１によってスライド移動自在に支持される。
【００１７】
ロック機構２３は、図４に示すように、支持板２４に取り付けられるロック板３６、ピン３７、ストッパ３８，ネジリバネ３９と、図５に示した係合板４０とから構成されている。ピン３７は、前方に突出して支持板２４に一体に形成されている。ネジリバネ３９のコイル部、及びロック板３６とは、ピン３７に順に挿入され、挿入後にピン３７の頭がカシメられて抜け止めされる。ロック板３６は、ピン３７に対して周方向に回転自在で、かつピン３７の頭との間でピン３７の軸方向に移動自在となっている。
【００１８】
ロック板３６は、ピン３７を中心として初期位置とこれからロック解除位置を経由してロック位置を越えた退避位置との間で回転する。また、ロック板３６は、ピン３７の頭に寄った係合位置と前記頭から離間する係合解除位置との間でピン３７の軸方向に沿って移動自在に支持されている。ネジリバネ３９は、コイル部でロック板３６をピン３７の頭（係合位置）に向けて付勢するとともに、一端でロック板３６を初期位置に向けて付勢する。ストッパ３８は、ネジリバネ３９の付勢に抗してロック板３６を初期位置で止める。
【００１９】
係合板４０は、レール板３２に一体に形成されており、後方に向けて突出している。この係合板４０は、レンズバリア１２を開位置からの押し込み操作することによって、ロック板３６をいったん退避位置に回転させた後にロック位置に回転させ、ロック位置のロック板３６に保持される。また、閉位置にあるレンズバリア１２を押し込み操作することによってロック板３６をロック解除位置に回転させ、かつ係合解除位置に移動させてロック板３６との係合が解かれる。
【００２０】
ロック板３６は、図７（Ａ）に示すように、鉤型状をしており、レンズバリア１２が開位置のときにストッパ３８に当接して初期位置に保持されている。ロック板３６には、ピン３７に軸支される軸受け部４２、斜面部４３、第１阻止部４４、第１切り欠き部４５、保持部４６、第２阻止部４７、第２切り欠き部４８、及び折り曲げ片４９とを備えている。
【００２１】
係合板４０は、レンズバリア１２の移動と一緒に移動し、付勢機構２７により同図において左方向（開位置方向）に向けて付勢されている。斜面部４３は、開位置からの押し込み操作でレンズバリア１２を移動する過程で、同図（Ｂ）に示すように、係合板４０が最初に当接し、係合板４０に押されてロック板３６を退避位置に向けて回転させる。第１阻止部４４は、同図（Ｃ）に示すように、レンズバリア１２がロック切り替え位置に達したときに、斜面部４３を乗り越えた係合板４０に下方から当接してロック板３６が初期位置に向けて回転するのを阻止する。
【００２２】
第１切り欠き部４５は、斜面部４３と第１阻止部４４との間を切り欠いて設けられており、図７（Ｄ）及び図８（Ａ）に示すように、レンズバリア１２がロック切り替え位置から閉位置に向けて戻ったときに、ロック板３６を初期位置に向けて僅かに回転させ、係合板４０をロック板３６の内部に入り込ませる。保持部４６は、係合板４０が第１切り欠き部４５に入り込んだときに、付勢機構２７の付勢に抗する方向から係合板４０に当接してレンズバリア１２を閉位置に保持する。第２阻止部４７は、係合板４０が第１切り欠き部４５に入り込んだときに、係合板４０に下方から当接してロック板３６が初期位置に向けて回転しないように阻止し、ロック板３６をロック位置に保持させる。
【００２３】
閉位置からの押し込み操作でレンズバリア１２を移動すると、図８（Ｂ）に示すように、係合板４０は、第２阻止部４７から脱し、ロック板３６は、ネジリバネ３９の付勢によりロック解除位置に向けて回転する。第２切り欠き部４８は、係合板４０に下方から当接して、係合板４０の移動軌跡上に折り曲げ片４９が位置するロック解除位置でロック板３６を止める。折り曲げ片４９は、レンズバリア１２がロック切り替え位置から開位置に向けて移動する過程で、係合板４０に当接してロック板３６を係合位置から係合解除位置に向けて移動させて係合板４０の通過を許容する。なお、第２阻止部４７は、折り曲げ片４９の上端となっている。
【００２４】
付勢機構２７は、レール板３２を挟んだ上下に１対設けられている。各付勢機構２７は、図９に示すように、左・右止め部材５２〜５４、左・右ロッド止め金具５５，５６、スライダ５７、スライダ抜け止め金具５８、第１及び第２ロッド５９，６０、２つの圧縮バネ６１，６２、支持板２４、及び２つの引っ張りバネ２８で構成される。
【００２５】
第１及び第２ロッド５９，６０は、それぞれ両端が左・右ロッド止め金具５５，５６によってバリア板２５に固定される。バリア板２５には、第１及び第２ロッド５９，６０の両端にそれぞれ当接し、ロッド５９，６０の軸方向への移動を阻止する左・右止め部材５２〜５４がそれぞれ一体に形成されている。スライダ５７には、第１及び第２ロッド５９，６０が挿入される受け部６３，６４が形成されており、第１及び第２ロッド５９，６０に案内されならがレンズバリア１２の移動と同じ方向に移動する。圧縮バネ６１，６２は、左ロッド止め金具５５とスライダ５７の受け部６３，６４とにそれぞれ当接するように、第１及び第２ロッド５９，６０の外周に挿入されている。左ロッド止め金具５５が本発明の押圧部材を構成する。
【００２６】
スライダ５７には、レンズバリア１２の移動方向に沿ってスロット６５が一定長さで形成されている。スロット６５には、支持板２４に形成したピン６６が入り込む。ピン６６には、スロット６５を介して先端にスライダ抜け止め金具５８がカシメにより固定される。これにより、スライダ５７は、支持板２４（カメラボディ）に対して一定の範囲でレンズバリア１２と同じ方向に移動自在に配される。なお、圧縮バネ６１，６２がレンズバリア１２を開位置に向けて付勢する。
【００２７】
スライダ５７には、後方に突出した一対のバネ掛け部６８が形成されている。これらバネ掛け部６８には、支持板２４の逃げ穴６９を通って前カバー２２の内部に配した一対の引っ張りバネ２８の一端が掛けられる。引っ張りバネ２８は、他端が前カバー２２の内壁に掛けらており、レンズバリア１２を開位置に移動させる方向に向けてスライダ５７を付勢している。
【００２８】
レンズバリア１２が開位置のときには、図１０（Ａ）に示すように、圧縮バネ６１，６２の一端（押し込み操作方向に対して上流側の端）が左ロッド止め金具５５に、また他端が受け部６３にそれぞれ当接している。このときの圧縮バネ６１，６２の長さをＬ１とする。また、スライダ５７は引っ張りバネ２８の付勢により押し込み操作方向に向けて付勢され、またスライダ抜け止め金具５８はスロット６５の右端に位置している。
【００２９】
レンズバリア１２を開位置から閉位置に向けて移動すると、左ロッド止め金具５５が受け部６３，６４との間で圧縮バネ６１，６２を押圧し、圧縮バネ６１，６２の長さが長さＬ１よりも短くされる。レンズバリア１２が閉位置を超えてロック切り替え位置に移動されると、圧縮バネ６１，６２は、同図（Ｂ）に示したように、長さＬ２が最小圧縮長さとなっている。圧縮バネ６１，６２が長さＬ２に近づくにつれてスライダ５７を付勢する力が増大し、引っ張りバネ２８の付勢力を超えることでスライダ５７を押し込み方向に向けて移動させる。これによりスライダ５７は、スライダ抜け止め金具５８がスロット６５の左端に近づくように移動する。このスライダ５７の移動長さＸによりレンズバリア１２は、圧縮バネ６１，６２の長さＬ１−Ｌ２の長さに応じた移動量よりも大きく移動することができる。
【００３０】
このような付勢機構２７は、レール板３２の上下に一対組み込まれ、バリア蓋２６で覆われる。また、バリア板２５とバリア蓋２６との厚み方向での間の狭いスペースに収まるように、線径の細い圧縮バネ６１，６２を使用している。このように線径の細く、しかも長さＬ１よりも長い自由長の圧縮バネ６１，６２を用いると、長期的に圧縮を繰り返して使用することでヘタリが生じるおそれがある。しかしながら、本実施形態では、スライダ５７を移動させるようにしたから、圧縮負荷を緩和することができ、圧縮バネ６１，６２のへたりを防止することができる。
【００３１】
次に、上記構成の作用を説明する。図１に示すように、レンズバリア１２が開位置のときには、ストロボ発光窓１３と撮影窓１５とが露呈されている。ロック機構は、図７（Ａ）に示すように、ロック板３６がネジリバネ３９の付勢によりストッパ３８に当接した初期位置となっている。また、付勢機構２７は、図１０（Ａ）に示すように、スライダ５７が引っ張りバネ２８の付勢により押し込み方向とは逆の方向に向けて付勢され、スライダ抜け止め金具５８がスロット６５の右端に位置している。圧縮バネ６１，６２は、長さＬ１となっている。
【００３２】
レンズバリア１２を開位置から閉位置に向けて移動すると、バリア板２５，左・右止め部材５２〜５４，左・右ロッド止め金具５５、５６が押し込み方向に移動し、左ロッド止め金具５５が受け部６３，６４との間で圧縮バネ６１，６２を圧縮する。レンズバリア１２の移動が継続するにつれて圧縮バネ６１，６２は、最小圧縮長さＬ２に近い長さまで圧縮され、受け部６３，６４を介してスライダ５７を付勢する力が増大する。この付勢力が引っ張りバネ２８の付勢力を超える時点でスライダ５７を押し込み方向に向けて移動させる。これにより、同図（Ｃ）に示すように、スライダ抜け止め金具５８がスロット６５の左端に近づくようにスライダ５７が移動する。
【００３３】
レンズバリア１２がロック切り替え位置に移動すると、圧縮バネが長さＬ２まで圧縮される。このとき、スライダ５７は、スライダ抜け止め金具５８がスロット６５の左端に当接する位置に移動している。本実施形態では、圧縮バネ６１，６２の長さＬ１−Ｌ２の長さに応じた移動量に加えてスライダ５７の移動量Ｘを加算した移動量は、レンズバリア１２が開位置からロック切り替え位置に移動した移動量となっている。
【００３４】
レンズバリア１２が閉位置を通過するときには、レール板３２に設けた係合板４０が斜面部４３に当接し、図７（Ｂ）に示すように、ロック板３６を退避位置に向けて回転させる。レンズバリア１２がロック切り替え位置に到達すると係合板４０が斜面部４３を通過して第１阻止部４４の上に位置する。ロック板３６は、係合板４０が斜面部４３を通過したときに初期位置に向けて僅かに回転し、その後第１阻止部４４が係合板４０に下方から当接することで同図（Ｃ）に示すように初期位置に向けての回転が阻止される。
【００３５】
その後、レンズバリア１２の押し込み操作をやめてレンズバリア１２から手を離すと、圧縮バネ６１，６２の付勢によりレンズバリア１２が閉位置に向けて移動する。このとき、係合板４０もレンズバリア１２と同方向に移動して、係合板４０が第１切り欠き部４５に入り込み、ロック板３６がネジリバネ３９の付勢により初期位置に向けて回転する。これにより、同図（Ｄ）に示すように、係合板４０にその移動方向に対して逆の方向から保持部４６が当接して保持部４６がレンズバリア１２を閉位置に保持する。このとき、ロック板３６は、ネジリバネ３９の付勢により初期位置に向けて回転しようとするが、係合板４０に下方から第２阻止部（折り曲げ片４９の上端）４７が当接するので、その方向への回転が阻止されてロック位置で保持される。
【００３６】
レンズバリア１２が閉位置に保持されると、図２に示すように、撮影窓１５とストロボ発光窓１３とがレンズバリア１２で隠される。
【００３７】
レンズバリア１２を閉位置から開位置に移動するには、再び手動操作でレンズバリア１２を開位置から閉位置に移動させる方向、つまりロック切り替え位置の方向に向けて押す押し込み操作を行う。この操作により、係合板４０もレンズバリア１２と同じ方向に移動するため、係合板４０が図８（Ａ）に示した位置から同図（Ｂ）に示した位置に移動し、折り曲げ片４９の上端から脱する。脱すると、ネジリバネ３９の付勢によりロック板３６がロック解除位置に向けて回転する。その後、ロック板３６は、係合板４０を第１阻止部４４の下、つまり第２切り欠き部４８に入り込ませた位置まで回転し、第１阻止部４４と折り曲げ片４９とを繋ぐ下辺部７０が係合板４０に当接するロック解除位置で回転が止められる。
【００３８】
レンズバリア１２を閉位置からロック切り替え位置に押し込み操作した後には、レンズバリア１２から手を離す。これにより、レンズバリア１２は、圧縮バネ６１，６２の付勢により開位置に向けて自然に移動する。この移動中に、図８（Ｅ）に示すように、係合板４０が折り曲げ片４９の前面に乗り上げ、同図（Ｆ）に示したように、折り曲げ片４９を介してロック板３６をコイル部３９ａの付勢に抗してピン３７の軸方向に押し込む係合解除位置に向けて移動するため、係合板４０がロック板３６に係止されることなく通り抜けることができる。
【００３９】
また、レンズバリア１２が開位置に向けて移動する過程では、圧縮バネ６１，６２の圧縮が緩和される。そして、引っ張りバネ２８が圧縮バネ６１，６２の付勢力よりも強くなった時点で、スライダ５７が引っ張りバネ２８の付勢方向に移動する。そして、レンズバリア１２は、スライダ５７の受け部６３，６４が右ロッド止め金具５６に当接し、スライダ抜け止め金具５８がスロット６５の右端に当接することで開位置に保持される。なお、上記実施形態では，付勢機構２７を複数設けているが、一つだけでもよい。
【００４０】
【発明の効果】
以上に述べたように、本発明では、開位置から閉位置を超えたロック切り替え位置に押し込み操作を行うことでレンズバリアをロックし、閉位置からロック切り替え位置に押し込み操作を行うことでロック解除を行うロック機構を備えたから、ロック解除ボタンを別に設けたものと比較してローコスト化及びコンパクト化を図ることができる。
【００４１】
また、レンズバリアを圧縮バネで開位置の方向に付勢した発明では、レンズバリアを閉位置に移動するときにカメラボディに対してレンズバリアと同方向に一定の範囲で移動する受け部材を設けたから、レンズバリアが開位置にあるときの圧縮バネの長さをＬ１から、レンズバリアが閉位置にあるときの圧縮バネの長さをＬ２を差し引いた長さに応じた移動量よりもレンズバリアの移動量を大きくすることができる。
【図面の簡単な説明】
【図１】本発明を用いた電子スチルカメラの正面側斜視図であり、レンズバリアを開位置にした状態を示している。
【図２】電子スチルカメラの正面側斜視図であり、レンズバリアを閉位置にした状態を示している。
【図３】レンズバリア機構及び付勢機構を示した分解斜視図である。
【図４】支持板を示した斜視図である。
【図５】バリアガイド手段の構成を示した要部分解斜視図である。
【図６】支持板と前カバーとの関係を示した要部分解斜視図である。
【図７】ロック機構の動作を示した説明図であり、（Ａ）はレンズバリアが開位置のとき、（Ｂ）はレンズバリアが閉位置に移動したとき、（Ｃ）はレンズバリアがロック切り替え位置に移動したとき、（Ｄ）はレンズバリアを閉位置にロックしたときの状態をそれぞれ示している。
【図８】ロック機構の動作を示した説明図であり、（Ａ）はレンズバリアが閉位置のとき、（Ｂ）はレンズバリアが閉位置からロック切り替え位置に移動したとき、（Ｃ）はレンズバリアが閉位置を通過したとき、（Ｄ）は（Ｃ）に示した状態の横断面図、（Ｅ）は（Ｄ）に示した状態の横断面図、（Ｆ）は、ロック板を押し込んで係合板の通過が許容されたときの状態をそれぞれ示している。
【図９】付勢機構の概略を示した要部分解斜視図である。
【図１０】付勢機構の動作を示した説明図であり、（Ａ）はレンズバリアが閉位置のとき、（Ｂ）はレンズバリアがロック切り替え位置に移動したとき、（Ｃ）はスライダが移動したときの状態をそれぞれ示している。
【符号の説明】
１０  カメラ
１２  レンズバリア
１８  ファインダ対物窓
２３  ロック機構
２４  支持板
２５  レンズ板
２７  付勢機構
２８  引っ張りバネ
３２  レール板
３６  ロック板
４０  係合板
４９  折り曲げ片
５７  スライダ
５９，６０  ロッド
６１，６２  圧縮バネ
【図１】
0004357766.tif 000002
【図２】
0004357766.tif 000003
【図３】
0004357766.tif 000004
【図４】
0004357766.tif 000005
【図５】
0004357766.tif 000006
【図６】
0004357766.tif 000007
【図７】
0004357766.tif 000008
【図８】
0004357766.tif 000009
【図９】
0004357766.tif 000010
【図１０】
0004357766.tif 000011